(57)【特許請求の範囲】
【請求項１】
スタック（１）を少なくとも部分的に取り囲むカバー（２１）において、前記スタックは少なくとも２枚のシートを含み、前記カバーは、
−  前記スタックの表側に設置される表側カバー部材（５）と、
−  前記スタックの裏側に設置され、前記表側カバー部材に接続される裏側カバー部材（４）と、
−  少なくとも前記スタックと組み立てた状態で、前記表側カバー部材と前記裏側カバー部材を接続する、背側の背側折り目（８）または背部と、
−  それぞれ前記表側または裏側カバー部材を前記スタックのそれぞれの側に連結するための表側連結手段（６）および／または裏側連結手段（３）と、
を含んでおり、
前記スタックが連結タブ付スタックであり、
前記連結手段が、前記連結タブ付スタックのシートを相互に連結する連結タブに連結するための連結タブを具えることを特徴とするカバー。
【請求項２】
請求項１に記載のカバーにおいて、
前記表側連結手段および／または前記裏側連結手段が、前記スタックのそれぞれの側に接着するための、接着手段等の取付手段を有することを特徴とするカバー。
【請求項３】
請求項１または２に記載のカバーにおいて、
前記表側カバー部材および／または前記裏側カバー部材が、連結タブ付スタックを形成するシートの前記連結タブとシート部分の間の移行部においてヒンジ動作を提供するためのシート折り目を含むことを特徴とするカバー。
【請求項４】
２つの連結タブ付スタック同士を連結する連結要素（１６）において、
−  前記２つの連結タブ付スタックの第一のスタックの表側に連結される表側連結手段と、
−  前記２つの連結タブ付スタックの第二のスタックの裏側に連結され、前記第一の連結手段に接続される裏側連結手段と、
を含み、
−  折るための折り目が前記第一の連結手段と前記第二の連結手段に間に設けられることを特徴とする連結要素。
【請求項５】
請求項４に記載の連結要素において、
組み立てた状態で前記表側連結手段と前記裏側連結手段を相互に接続するための取付手段、例えば接着手段をさらに含み、および／または前記表側連結手段および／または裏側連結手段が連結タブを含むことを特徴とする連結要素。
【請求項６】
１つまたは複数の連結タブ付スタックを受けるためのフォルダ（１２）において、
−  前記スタックの表側に設置される表側カバー部材と、
−  前記スタックの裏側に設置され、前記表側カバー部材に接続される裏側カバー部材と、
−  前記表側カバー部材と前記裏側カバー部材を、少なくとも前記スタックと組み立てられた状態で接続するための背側の背側折り目と、
−  前記連結タブ付スタックを連結するための少なくとも１つの連結手段と、
を含むことを特徴とするフォルダ。
【請求項７】
請求項６に記載のフォルダにおいて、
前記連結手段が背部の一部を形成し、または前記背部を形成することを特徴とするフォルダ。
【発明の詳細な説明】
【技術分野】
【０００１】
本発明は、スタックを少なくとも部分的に取り囲むカバーに関し、スタックは少なくとも２枚のシートを含む。
【０００２】
本発明はさらに、少なくとも２つの連結タブ付スタック（ｃｏｕｐｌｉｎｇ  ｔａｂ  ｓｔａｃｋ）を連結するための連結要素に関する。
【０００３】
本発明はまた、１つまたは複数の連結タブ付スタックを受けるためのフォルダにも関する。
【０００４】
少なくとも１枚の紙を含むスタックを少なくとも１枚の紙を含む別のスタックに連結できる綴じシステムはそれ自体がよく知られている。スタック同士は、紙の少なくとも１つの縁に設けられたタブによって接続される。一方のスタックのタブは他方のスタックのタブに対してずれており、その結果タブは、相互に係合して、連結状態をもたらすことができる。
【０００５】
本明細書による折り目は、シート材に圧入された折り線および材料移行部またはヒンジ手段を含み、これによって前記折り目の所有部（ｐｏｓｓｅｓｓｉｏｎ）で折る、または曲げることができる。
【０００６】
本明細書による連結タブとは、シートを相互に連結してスタックを形成するための、先願である国際特許出願ＰＣＴ／ＮＬ２００６／００００８８号明細書の内容に従って定義されるタブである。本明細書による連結タブ付スタックとは、連結タブを有するシートによって形成されるスタックである。
【０００７】
本明細書によるスタックの表側は表側または裏側を意味すると理解されるものとし、実施形態によって何れの意味にも解釈できる。表側と裏側という語句の使用はしたがって、互換可能とするものであり、この語句は、説明文を明確にし、かつ第一の側と第二の側等の呼び方を回避するために使用される。
【０００８】
このようなシステムの利点は、枚数の多い冊子を簡単に生成できることである。
【０００９】
上記のようなタブ付シートの欠点は、タブに常に外から自由に触れられることである。その結果、タブがカールする。
【００１０】
本発明は、その目的として、公知技術の上記のような欠点を排除し、または少なくとも軽減させなければならない。本発明は、この目的のために、請求項１によるカバーを提供する。
【００１１】
本発明の第一の利点は、本発明によれば、カバー付の綴じられたスタックを提供でき、これは、連結タブとシートの残りの部分の間の境界線に沿って本を開いた状態に保つことが非常に容易であり、シートをその場で押さえている必要がなく、それと同時に連結タブのカールも有効に防止されることである。スタックは、本を開いたときに実質的に平坦な状態のままでさえある。背に、またはその付近に先行技術の連結タブを持たないシートと綴じられる製本用スタックはシートの硬さがはるかに大きく、それによってスタックは、このようなシートの硬さの結果として本が閉じようとする一貫した傾向を示す。本発明によるカバーを有するスタックを開くことは、シートがシートと連結タブの間の移行部において容易に折ることができるという点で実現され、これは、シートあたり実質的に半分の長さが連結タブを形成するために除去されているからである。
【００１２】
他の利点は、表側カバー部材を綴じることによって、スタックの周囲にカバーを配置できることであり、スタックは少なくとも２枚のシートを含む。表側カバー部材をスタックのそれぞれの側に連結することによって、カバーはスタックを綴じるための機構を覆うように設置され、カールが防止される。他の利点は、スタックの完全性がカバーによって改善されることである。
【００１３】
本発明の他の利点は、少なくとも２枚のシートを含むスタックに、このようにして刻印またはある種の保護手段を設けることができることである。このようにして、綴じシステムの利点を有するスタックを提供でき、スタックに刻印および／または保護手段も持たせることができる。
【００１４】
本発明は様々な好ましい実施形態を有し、これらはいくつかのそのような実施形態の以下の説明から明らかとなるであろう。本発明の、そのあらゆる態様における有利な発明的特徴は、特許請求の範囲の従属項に定義されている手段を含め、上述および／または後述の検討事項には一切限定されない。
【００１５】
本発明によるカバーの第一の好ましい実施形態は、請求項２に記載の特徴を有する。この実施形態の利点は、カバーがスタックの両側に連結されるため、その連結がより安定することである。スタックはカバーの表側および裏側に連結される。
【００１６】
ここで、表側連結手段および／または裏側連結手段が、スタックのそれぞれの側に接着するための、接着手段等の取付手段を有することが有利である。カバーの使用者は、例えば、１回の動作でスタックをカバーに対して位置決めし、同じ動作中にこれらの２つを相互に連結することもできる。連結は結局、スタックの上にカバーを配置して圧迫することによって実行できるが、ドキュバインド（商標）等のシステムは、リングバインドストリップにシートをセットするための複雑な動作と装置が必要となる。
【００１７】
本発明によるカバーの他の好ましい実施形態は、連結タブ付スタックまたは、連結タブを備えるシートの１つのスタックに使用するためのものであり、表側連結手段または裏側連結手段が、連結タブ付スタックの中のシートを相互に連結する連結タブに連結するための連結タブを含むという特徴を有する。連結タブは取付手段と共に機能することができることに留意する。連結タブの利点は、スタックをカバーに対して位置決めしてから、スタックをカバーに連結できることである。連結タブはこの場合、まず連結タブ付スタックの連結タブに接続され、その後、カバーが取付手段を使ってスタックに連結される。
【００１８】
他の選択肢は、連結タブが上述のように取付手段の機能を引き受けることである。スタックをスタックに対して位置決めする利点は、この選択肢にも同様にあてはまる。
【００１９】
本発明によるカバーの他の好ましい実施形態は、表側カバー部材および／または裏側カバー部材が、連結タブ付スタックを形成するシートの連結タブとシート部分の間の移行部においてヒンジ動作を提供するためのシート折り目を含むという特徴を有する。シート折り目は、カバーとスタックが組み立てられたときに、カバーの使用者が、例えばスタックのシートに印刷された文章を読むためにスタックのページをめくるときに有利である。
【００２０】
この動作中、使用者はカバー付のスタックを折ってシート上の文章をより読みやすくするであろう。シート折り目の利点は、特にシート折り目か連結タブ付スタックの連結タブの位置決めによって画定される折り線に対応する場合、カバーがより折りやすくなることである。これによって、カバーとスタックの組み合わせがより開きやすくなる。
【００２１】
シート折り目の他の利点は、カバー上の乱雑な位置に折り線がつかないことである。カバー上の乱雑な位置に折り線があると、全体に、だらしなく、きちんとしていない外観を与える可能性があり、このことがシート折り目によって防止される。
【００２２】
本発明によるカバーの他の実施形態は、連結手段が、シート折り目を越えた位置から見えるカバーの背側から、好ましくはシート折り目の付近に、またはそこから取り除かれる接着手段帯状片より狭い幅で、スタックに接着する接着手段を含むという特徴を有する。この構成の利点は、カバーをスタックの上に設置している間に、スタックの連結タブがカバーに対して自由に動かせる状態のままであるか、または少なくとも連結タブが接着帯状片に意図せず接着してしまう事態が防止されることである。この実施形態の利点は、組み立てられた状態で連結タブがカバーの外観に影響を与えないことである。連結タブがカバーの配置中に接着手段と接触すると、連結タブはカバーに対し、カバーの表面を凸凹にするという影響を与えうる。この影響がこの実施形態によって防止される。
【００２３】
本発明によるカバーの好ましい実施形態は、最初の連結のための連結手段の連結手段が、連結タブ付スタックの連結タブに接着するための接着手段を含むという特徴を有する。この実施形態の利点は、カバーをスタックの第一の側に取り付けることができ、カバーとスタックは相互に対して同時に位置決めされることである。接着手段に基づく連結の位置決めを行うことができてから、カバーがその後、スタックの第二の側に連結される。カバーをスタックに対して位置決めはこの動作中にそのまま保持され、これは、接着手段に基づいて連結する場合に位置決めが維持されるからである。したがって、使用者は１回だけカバーをスタックに対して位置決めすればよい。
【００２４】
本発明によるカバーの他の好ましい実施形態は、表側カバー部材および／または裏側カバー部材がスタックの表面の一部または全部を覆うように延びるという特徴を有する。この実施形態の利点は、カバーがスタックをまとめて保持する役割を果たせるか、または例えば全面カバーとしてのまた別の機能を果たせることである。カバーはこのようにして、連結タブ付スタックに所望の外観を与える役割も果たす。
【００２５】
本発明によるカバーの好ましい実施形態は、カバーが少なくとも１つの接着手段保護要素、例えば剥離紙片等を含み、これが接着手段を連結タブ付スタックに接着させる瞬間までそれを覆うという特徴を有する。使用者は、接着手段保護要素を所望の瞬間、例えばカバーが連結タブ付スタックに対して適正に位置決めされたときに取り外すことができる。取付手段に基づく連結はこのようにして、何れの所望の時点においても実行できる。
【００２６】
ここでは、接着手段保護要素が、それを片面からスタックとカバーの組立体に沿って剥がすように、その長さ方向に二重形態をとることが有利である。この実施形態により、使用者は、まずカバーを連結タブ付スタックに対して位置決めしてから、取付手段に基づいて連結することができる。使用者は、位置決めに関して満足できたところで、接着手段保護要素を接着手段から取り除くことができ、カバーを連結タブ付スタックから外す必要がない。接着手段保護要素は、カバーと連結タブ付スタックの間で剥がすことができる。スタックとカバーの間の相対的向きはこのようにして、使用者による位置決め中にそのまま保持され、その一方で、接着によって相互に固定することができる。
【００２７】
本発明によるカバーの他の好ましい実施形態は、カバーが少なくとも部分的に、紙、ボール紙、プラスチック、皮革および／またはこれらの組み合わせを含む群から選択された材料から製造されるという特徴を有する。この実施形態の利点は、使用者がカバーに持たせたいと思う外観を選択できることである。材料の各種類はさらに、それ自体が所定の特性を有し、例えばプラスチックは汚れを落としやすい特性を有し、皮革は例えば豪華な外観を与える。
【００２８】
ここで、カバーが一体に形成されることが有利である。一体型のカバーは構成しやすいという利点を有し、これは、それを１回の動作で構成できるからである。また、製造も容易である。
【００２９】
本発明の他の態様は、２つの連結タブ付スタック同士を連結する連結要素に関し、これは、
−  ２つの連結タブ付スタックの第一のスタックに連結される表側連結手段と、
−  ２つの連結タブ付スタックの第二のスタックに連結され、第一の連結手段に接続される裏側連結手段と、
を含み、
−  折るための折り目が第一の連結手段と第二の連結手段に間に設けられる。
【００３０】
連結要素の第一の利点は、２つの連結タブ付スタックをこのようにして、相互に連結できることである。それゆえ、枚数の少ない連結タブ付スタックを製造し、後でこれらのタブ付スタック同士を連結することが可能である。連結タブ付スタックが多くの枚数を含む場合、連結タブ付スタックがシートの重みによってばらばらになるという事態が発生しうる。このリスクは、多くの連結タブ付スタックを相互に連結することによって軽減し、これはその場合、重量が多数のスタックに分散されるからである。
【００３１】
本発明による連結要素の好ましい実施形態は、連結要素が、表側連結手段と裏側連結手段を組み立てられた状態で相互に接続するための取付手段、例えば接着手段を含むという特徴を有する。この実施形態の利点は、連結要素をそれ自体に接続することによって、連結要素が組み立てられた状態のままとなり、連結タブ付スタックも同様にこの状態のままとなることである。
【００３２】
本発明の他の態様は、１つまたは複数の連結タブ付スタックを受けるためのフォルダに関し、これは、
−  スタックの表側に設置される表側カバー部材と、
−  スタックの裏側に設置され、表側カバー部材に接続される裏側カバー部材と、
−  表側カバー部材と裏側カバー部材を、少なくともスタックと組み立てられた状態で接続するための背側の背部と、
−  連結タブ付スタックを連結するための１つまたは複数の連結手段と、
を含む。
【００３３】
本発明によるフォルダの利点は、連結タブ付スタックをフォルダ内に保存でき、使用者がこれを読むこともページをめくることもできることである。スタックはさらに、フォルダから取り外しやすく、またフォルダを保存システム内に保存できる。フォルダを一体の形態で製造できることに留意される。
【００３４】
本発明によるフォルダの好ましい実施形態は、連結手段が背部の一部を形成し、および／または背部を形成するという特徴を有する。この実施形態の利点は、複数の連結タブ付スタックをフォルダ内にセットできることである。例えば、このようにしてファイルをフォルダ内に保持することが可能である。
【００３５】
本発明の他の利点、特徴、詳細は、添付の図面に関するいくつかの実施形態に基づいて明かになるであろう。
【図面の簡単な説明】
【００３６】
【図１】図１は、本発明によるカバーの好ましい実施形態を示す。
【図２Ａ】図２Ａは、カバーの他の実施形態の詳細図を示す。
【図２Ｂ】図２Ｂは、カバーの他の実施形態の詳細図を示す。
【図３Ａ】図３Ａは、本発明によるフォルダの好ましい実施形態の一実施形態を示す。
【図３Ｂ】図３Ｂは、本発明によるフォルダの好ましい実施形態の一実施形態を示す。
【図４】図４は、本発明によるカバーの他の好ましい実施形態を示し、この実施形態は封筒状の構造を有する。
【図５】図５は、本発明による連結要素の好ましい実施形態を示す。
【図６】図６は、組み立てられた状態の連結要素を概略的に示す。
【図７】図７は、本発明によるカバーの他の好ましい実施形態を示す。
【図８】図８は、図７のカバーの折り畳んだ状態の断面図を示す。
【図９】図９は、ブランクとしてのカバーの概略図である。
【図１０Ａ】図１０Ａは、図９のカバーの、連結された状態の概略図である。
【図１０Ｂ】図１０Ｂは、図９のカバーの、部分的に連結された状態の概略図である。
【発明を実施するための形態】
【００３７】
図１は、カバー２１の第一の実施形態とカバー２１の代替的実施形態を示す。図１はさらに、前述の連結タブ付スタック１を示しており、連結タブ付スタック１は連結を成すための連結タブ２を含む。ここに示されるカバー１の実施形態は、表側カバー部材５に接続される表側連結手段６を含む。カバー１は、裏側カバー部材４に接続される裏側連結手段３を含む。裏側カバー部材４と表側カバー部材５は、背側折り目８を介して相互に接続される。
【００３８】
第一の実施形態において、裏側連結手段は連結タブ３を含む。連結タブ３は、連結タブ付スタック１の連結タブ２に連結できる。カバー２１の連結タブ３は、背側折り目８の方向に折り畳むことができる。カバーの構成は多くのステップで行われる。カバー２１の連結タブ３はまず、連結タブ付スタック１の連結タブ２に連結される。連結タブ３は次に、背側折り目８の方向に折り畳まれる。接着手段を所望によって裏側カバー部材４の裏側対向面に設置でき、それによって、組み立てられた状態における連結が強化される。次のステップは、連結タブ付スタック１の連結タブ２の周囲でカバーを折り畳むことであり、それによって表側カバー部材５を連結タブ付スタック１の表側に連結できる。表側カバー部材５は、接着手段を使って連結タブ付スタック１の表側に連結される。
【００３９】
代替的実施形態７において、裏側連結手段３は取付手段、例えば接着帯状片によって形成される。
【００４０】
図２Ａと２Ｂは、カバーの他の実施形態の詳細図を示す。カバーは同様に、裏側連結手段３と表側連結手段６および、表側カバー部材６と裏側カバー部材４を含む。しかしながら、この実施形態は他の構成要素も含み、これらは図２Ａの中でＢとＣとして示される。カバーを連結タブ付スタック１に連結するには、カバーを、構成要素Ｃが構成要素Ｂと重なるように折り畳まなければならない。一方または両方の構成要素に接着帯状片等の取付手段を設けることができる。折り畳み作業は工場で実行することも、または最終使用者が実行することもできる。カバーの配置は上述のように実行される。スタックの配置後、シート折り目２２が連結タブとシートの移行部付近に設けられ、ページがスタック内に保存されているときに折り畳み動作またはヒンジ動作を提供する。
【００４１】
図２Ｂは、折り畳まれた状態のカバーを示す。要素は図２Ａに関して述べた要素に対応する。図２Ｂはこれに加えて、構成要素Ｂと構成要素Ｃを一緒に折り畳むことによって形成される帯状部９を示している。帯状部９には好ましくは、この帯状部を連結タブ付スタック１の裏側に連結するための接着帯状片等の取付手段が設けられる。
【００４２】
図３Ａと３Ｂは、本発明によるフォルダ１２の好ましい実施形態の一実施形態を示す。フォルダ１２は表側カバー部材１０と裏側カバー部材１１を含む。さらに、連結タブ付スタック１に連結するための３つの連結手段３が設けられている。連結手段３はフォルダ１２の背部を形成する。連結手段３は、背側折り目８を介してそれぞれ表側カバー部材１０と裏側カバー部材１１に接続され、それによって表側カバー部材１０と裏側カバー部材１１は背部に対して移動可能である。フォルダ１２は一体に製造できる。連結手段３は、例えば打ち抜きによって構成され、その後、フォルダ１２が所望の形状に折り畳まれる。
【００４３】
図３Ｂは、フォルダ１２の連結手段３をより詳しく示す。連結手段３の各々は、フォルダ１２の製造に使用される材料の２つの層から形成されることがわかる。材料の２つの層は、例えば取り付け手段によって相互に連結することができる。その結果、フォルダ１２は図のような形状を保つ。
【００４４】
図４は、本発明によるカバーの他の好ましい実施形態を示す。カバーは表側カバー部材１１と裏側カバー部材１０を含む。表側１１と裏側１０は、連結手段１５が設けられたシートを、例えば、より硬くてもよい他のシートの上に配置することによって形成される。裏側１０では、連結手段１５だけをもう一方のシートから離しておけばよく、その一方で、表側１１では、連結手段１５と１つ目のシートのその他の部分も、もう一方のシートに対して離しておかなければならず、この領域は矢印Ｄで示されている。連結タブ２を有する連結タブ付スタック１はカバーの連結タブ１５に連結される。それゆえ、連結タブ付スタックは、組み立てられた状態でカバーの表側と裏側に連結される。
【００４５】
裏カバー部材１０の部分１３は次に、自由な状態にあり、矢印Ｄで示される上記の領域に設置される。最終ステップとして、表側カバー部材１１の部分１４は、例えば接着手段等の取付手段を使って、裏側カバー部材１０に連結される。その結果、上述のカバーが得られる。他の実施形態は好ましくは封筒として機能し、連結手段１５とこの図に示されているフラップ１３と同様のフラップが設けられた実質的に封筒状の構造を有し、これは連結手段１５を有するシートの周囲に設置される。この封筒および／またはシートは、封筒の中にシートを保持するための接着帯状片を含むことができる。
【００４６】
図５は、本発明による連結要素１６の好ましい実施形態を示す。連結要素１６は、表側連結手段１６と裏側連結手段１８を含む。折り目２０が表側連結手段１７と裏側連結手段１８の間に設けられる。表側連結手段１７は第一の連結タブ付スタックの表側に連結でき、その一方で、裏側連結手段１８は第二の連結タブ付スタックの裏側に連結できる。組み立てられた状態で、２つの連結タブ付スタックはこのようにして相互に連結される。もちろん、複数の連結タブ付スタックを、複数の連結要素１６を使って相互に連結することが可能である。
【００４７】
取付手段１９、例えば接着手段が任意選択により連結要素１６に設けられてもよい。組み立てられた状態で、これらの取付手段１９は表側連結手段１７と裏側連結手段１８を組み立てられた状態に保持することができ、スタックが一体のままとなる。
【００４８】
図６は、組み立てられた状態の連結要素１６を概略的に示す。表側連結手段１７によって第一の連結タブ付スタック１の表側に連結され、裏側連結手段１８によって第二の連結タブ付スタック１の裏側に連結された連結要素１６が示されている。連結要素１６は折り線２０の周囲で折り畳まれている。連結要素１６の２つの部分は、相互に向かって矢印Ｅの方向に移動させ、前述のように相互に連結されるようにすることができる。点１７と１８は最終的に相互に当たるように配置されることになる。
【００４９】
本発明によるカバーは、本発明による連結要素によって相互に連結される２つまたはそれ以上の連結タブ付スタックと接触させて配置できることに留意される。
【００５０】
図７は、本発明によるカバー２１の他の好ましい実施形態を示す。カバー２は表側カバー部材５を含み、これは使用中、シートのスタックの表側に位置付けられる。表側カバー部材５は、例えば、表側連結手段６、例えば付着されていないときには保護要素が設けられる接着帯状片等を使ってシートのスタックの表側にさらに取り付けることができる。表側カバー部材５には折り目２２がさらに設けられ、これは組み立てられた状態で、連結タブの付け根の位置に位置付けられる。カバー２１は裏側連結手段３をさらに含み、これは、この実施形態においては連結タブ３の形態をとる。連結タブ３は、この実施形態においては、連結タブ３ａと３ｂを（折り畳んだ位置で）相互に当たるように設置することにより形成される。連結タブ３は裏側カバー部材４に接続され、これは、配置された状態において連結タブ３を覆うため、これらは使用者から見えず、連結タブ３が外部の影響から保護される。図７はこれに加えて、連結タブ３の形成中に形成される帯状部９を示している。帯状部９には好ましくは、帯状部をシートのスタックの裏側面に連結するための取付手段、例えば接着帯状片Ｆが設けられる。
【００５１】
裏側カバー部材４は、背要素８を介して表側カバー部材５に接続される。背要素８はまた、背側折り目（図示せず）とすることもできる。配置された状態で、折り目２２Ａと２２Ｂは相互に重なることになる。裏側カバー部材４には任意選択によって取付帯状片を設けてもよく、それによって裏側カバー部材４を連結タブ３に取り付けることができる。表側カバー部材５にもまた、折り目２２を設けて、全体を折り畳みやすくすることもできる。
【００５２】
カバー２１は、連結タブが設けられた、シートの１つのスタックに連結することができ、これらのシートが連結タブを使って相互に連結されていなくてもよい。
【００５３】
図８は、図７のカバー２１の折り畳んだ状態の断面を示す。断面は、図７に示される線Ｚに沿って切ったものである。カバー２１はこの図中、シートのスタック（図示せず）が矢印Ｈの方向にカバー２１の中へと設置されるように示されている。カバー２１は以下の方法で構成される。連結タブ３がシートのスタックの裏側において、シートの連結タブに連結される。裏側カバー部材４は次に、連結タブ３を覆うように折り畳まれ、それによってこれらの連結タブ３が覆われる。この図には、別々の連結タブ３ａと３ｂが相互に付近にあって連結タブ３を形成することが明瞭に示されている。次のステップは、表側カバー部材５を背要素８の周囲に折り曲げ、任意選択により、表側カバー部材５をシートのスタック（図示せず）の表側に、取付手段６（図示せず）を使って取り付けることである。最終ステップとして、取付手段が設けられた帯状部９をシートのスタックの裏側に配置することがでる。
【００５４】
表側カバー部材５および／または帯状部９は任意選択により、スタックの表面の一部または全体にわたって延びていてもよい。同様に、追加の保護要素を表側カバー部材５および／または帯状部９に設けることが可能である。
【００５５】
図７と図８に示されるカバー２１の実施形態の利点は、カバーを比較的容易に、好ましいコストで製造できることである。カバーは、折り目２２に平行に延びる折り線の周囲で折り畳まれ、それによって二重縁辺ができる。連結タブはこの縁辺に配置される。カバー２１には、前述の取付手段と折り目がさらに設けられる。カバー２１はまた、使用者が構成しやすい。
【００５６】
図９は、ブランクとしてのカバー２１の概略図を示す。カバー２１は、表側カバー部材５に配置された連結タブ６を含む。表側カバー部材５は、背側折り目８によって裏側カバー部材４に接続される。カバー２１は背側折り目８において、連結タブ付スタック１の表側と裏側の周囲に折り畳まれる。裏側カバー部材４には、連結された状態で連結タブ２と連結タブ付スタック１の残りの部分の間の移行部においてヒンジ動作を提供するためのシート折り目２２がさらに設けられる。
【００５７】
カバー２１の連結タブ６にさらに設けられたＶ字形切込み２３。これらのＶ字形切込み２３の利点は、連結タブ６が実質的に２つの別々の部分に分割され、これらが相互に対して移動可能であり、それによって連結タブ６がより柔軟になることである。その結果、カバー２１の連結タブ６を連結タブ付スタック１の連結タブに、より連結しやすくすることができる。
【００５８】
図１０Ａと１０Ｂは、図９のカバー２１の、部分的に連結された状態と連結された状態の概略図を示す。図１０Ａは、連結タブ付スタック１に連結されたカバー２１を、連結タブ付スタックの表側から示している。連結タブ付スタック１の表題紙と、連結タブ６の上に載り、背側折り目８と隣接する表側カバー部材５と、裏側カバー部材４の、連結タブ付スタック１の縁からはみ出して延びる部分と、が示されている。さらに、裏側カバー部材のシート折り目２２の位置も示されている。
【００５９】
図１０Ｂは、部分的に連結された状態のカバー２１を示す。連結タブ付スタック１の裏側と、裏側カバー部材４と、カバー２１の、連結タブ付スタック１の連結タブ２と係合している連結タブ６が示されている。カバー２１を連結タブ付スタック１に連結する際の次のステップは、カバー２１を連結タブ付スタック１の周囲で折り畳むことであり、それによって、裏側カバー部材４は図１０Ａに示されるように、連結タブ付スタック１の裏側と接して配置される。
【００６０】
以上、本発明を複数の好ましい実施形態に基づいて説明した。異なる実施形態の異なる態様は、相互の組み合わせで説明されたものとみなされ、当業者が本明細書を読むことによって本発明の範囲内に含まれるとみなすことのできるすべての組み合わせが含められる。これらの好ましい実施形態は、本明細書の保護範囲を限定するものではない。請求される権利は、付属の特許請求の範囲の中で定義される。
【００６１】
本発明は、好ましくは連結タブ付スタックの裏側を支持し、および／または連結タブ付スタックの表題紙を実質的に覆われないままにするためのカバーにも関し、このカバーは、
−  スタックの表側に設置される表側カバー部材と、
−  スタックの裏側に設置され、表側カバー部材に接続される裏側カバー部材と、
−  表側カバー部材をスタックの表側に連結するための、連結タブ等の表側連結手段であって、表側連結部材の１つの縁に配置される表側連結手段と、
を含む。
【００６２】
このカバーの利点は、連結された状態で、使用者がカバーと連結タブ付スタックの組立体を持っているときに、連結タブ付スタックが裏側カバー部材によって裏側で支持されることと、同時に連結タブ付スタックの表題紙が使用者から見えることである。
【００６３】
カバーはさらに、好ましくはカバーの連結タブを連結タブ付スタックの連結タブに連結した後、表側カバー部材をカバーの連結タブを覆うように折り畳むために、好ましくは折り目によって、表側連結手段と表側カバー部材の間の移行部において折り畳むことができる。すると、カバーを連結タブ付スタックの背部の周囲で折り畳むことができ、それによってカバーの裏カバー部材が連結タブ付スタックの裏側に配置される。
【００６４】
表側カバー部材はさらに、連結タブと同等か、これより大きい幅を有し、その目的は、表側カバー部材がカバーの連結タブを覆うように折り畳まれたときに、連結状態にある表側カバー部材で連結タブを保護することである。その利点は、連結タブ付スタックとカバーの組立体に、組立体の使用中に連結タブが見えないという点で、実質的にスムーズな外観が与えられることである。第二の利点は、連結タブがカバーによる損傷から保護されることであり、これは、スタックが分解され、ばらばらにされるときに有利である。
【００６５】
本発明はさらに、表側カバー部材と裏側カバー部材を少なくともスタックと組み立てられた状態で接続するための背側の背側折り目または背部を含むカバーに関する。背部は、相互から同等の距離に配置される２つの背側折り目から組み立てることができることに留意される。背側折り目または背部の利点は、カバーを連結タブ付スタックの周囲で折り畳んでいる間に、カバーを背側折り目または背部で容易に折り畳むことができることである。カバーの折り位置は、背側折り目の位置決めによって決まる。カバーはさらに、カバーが繰り返し折り畳まれる場合、毎回同じ位置、すなわち背側折り目または背部で折り畳まれ、それにより、何度もカバーを折り畳んでもカバーの外観が保たれる。
【００６６】
本発明はまた、連結された状態で、連結タブ付スタックの連結タブと連結タブ付スタックの残りの部分の間の移行部においてヒンジ動作を提供するために、背側カバー部材に設けられたシート折り目を含むカバーにも関する。シート折り目は、カバーの使用者が、カバーとスタックが組み立てられた状態で、例えばスタックのシートに印刷された文章を読むためにスタックのページをめくるときに有利である。この動作中、使用者はカバー付のスタックを折り、シートの文章を読みやすくする。シート折り目の利点は、カバーが、特にシート折り目が連結タブ付スタックの連結タブの位置決めによって定められる折り線に対応する場合に、カバーをより折りやすくなることである。これによって、カバーとスタックの組み合わせをより開きやすくすることができる。シート折り目の他の利点は、カバーの乱雑な位置に折り線ができないことである。カバーの乱雑な位置に折り線があると、全体的にだらしなく、きちんとしていない外観を与える可能性があり、これは、シート折り目によって防止される。
【００６７】
さらに、裏側カバー部材を、連結された状態で、連結タブ付スタックの裏側の少なくとも一部または全体にわたって延びるようにすること、または、連結された状態で、裏側カバー部材が連結タブ付スタックの少なくとも１つの縁よりはみ出すようにすることが可能である。このようにして、連結された状態で連結タブ付スタックが支持されることになり、それによって使用者はカバーと連結タブ付スタックの組立体を、少なくとも連結タブ付スタックの連結タブの位置で持つことが可能であり、それによって例えば、使用者は片手で組立体を持ち、反対の手で連結タブ付スタックのページをめくることができる。
【００６８】
連結タブ付スタックの表題紙を周辺領域の埃から保護することを目的として、透明保護要素を任意選択によって設けてもよい。
【図１】
0006272236.tif 000002
【図２】
0006272236.tif 000003
【図２Ｂ】
0006272236.tif 000004
【図３Ａ】
0006272236.tif 000005
【図３Ｂ】
0006272236.tif 000006
【図４】
0006272236.tif 000007
【図５】
0006272236.tif 000008
【図６】
0006272236.tif 000009
【図７】
0006272236.tif 000010
【図８】
0006272236.tif 000011
【図９】
0006272236.tif 000012
【図１０Ａ】
0006272236.tif 000013
【図１０Ｂ】
0006272236.tif 000014